(57)【要約】【課題】画鋲収納容器を加工することにより、針先端部を固定保持し安全性を確保し、かつ平易に整列配置することで画鋲の刺し込み作業を効率的に行う。【解決手段】全体が鉄材あるいは鉄材及び非鉄材合金からなる画鋲収納容器において、上、下箱からなるガイド合わせ口６を持つ圧縮可能な収納容器１。画鋲の押圧部を吸着し整列させるための磁気部４。針先端部を保持部材に固定保持する保持部５。から構成される。【選択図】              図１
2004203004.tif 000002
【特許請求の範囲】
【請求項１】
全体が鉄材あるいは鉄材及び非鉄材合金からなる画鋲において、磁気を用い押圧部を吸着し整列させ、針先端部を保持部材に圧入し固定保持する機能を有する画鋲収納容器。
【請求項２】
上述の画鋲に加え、つまみ部あるいは押圧部が樹脂材で構成され針が鉄材あるいは鉄材及び非鉄材合金からなる画鋲において、誘導し直立させ、磁気を用い針を吸引し整列させ、針先端部を遊挿させ定位置に保持する機能を有する画鋲収納容器。
【発明の詳細な説明】
【０００１】
【産業上の利用分野】本発明は画鋲の針先を平易に固定保持することにより安全性を確保するとともに、整然と配置し掲示物等の張り付け刺し込み作業を効率的に行う画鋲収納容器に関する。
【０００２】
【従来の技術】従来広く一般に使用されている画鋲は掲示物等を張り付けるための針を持ち、針先端部は露出しているものがほとんどであった。それを容器内に無造作に収納していた。
【０００３】
【発明が解決しようとする課題】このため容器から取り出す際に誤って指に刺す恐れがあった。また指に刺さらないよう注意を要するとともに、容器内で針が多方向に拡散するため選別し把持部を持ちなおしてから使用するという手間を要した。
【０００４】
【発明の目的】本発明はこの不都合を改善するため、針の先端部に指先等が刺さらないよう保持部材に固定し保持し安全性を向上させる画鋲収納容器を提供する。
【０００５】あるいは磁気を用いて、平易に整然と画鋲を配置することにより画鋲の刺し込み作業を効率的に行う画鋲収納容器を提供する。
【０００６】
【課題を解決するための手段】前記目的を果たすため本発明は画鋲を吸着あるいは吸引する磁気部。針先端部を固定あるいは保持する保持部。上下収納容器部材からなる収納容器部。あるいは画鋲を直立させ針先端を孔内に遊挿させる誘導ガイド部から構成される。
【０００７】
【発明実施の形態】全体が鉄材あるいは鉄材及び非鉄材合金からなる画鋲において、押圧部を吸着し整列させるための磁気部。針先端部を保持部材に圧入し固定保持する保持部。画鋲を収納し磁気部から保持部に移設可能な収納容器部から構成する画鋲収納容器。
【０００８】または直上で記述した画鋲に加え、つまみ部あるいは押圧部が樹脂材で構成され針が鉄材あるいは鉄材及び非鉄材合金からなる画鋲において、誘導し整列させ孔内で直立させる誘導ガイド部。磁気を用い針を吸引し針先端部を遊挿させ定位置に保持する磁気部。画鋲を収納し平易に整列させるための上下容器からなる収納容器部。以上から構成する画鋲収納容器。
【０００９】
【実施例１】以下本発明の実施例を図を参考に説明する。
【００１０】図１は全体が鉄材あるいは鉄材及び非鉄材合金からなる画鋲収納容器の構成図である。収納容器１はガイド合わせ口６を持ち上箱２、下箱３に分離しても良い。上箱と下箱の合わせ口をスライドさせ画鋲を収納する空間を画鋲が自由に転動する高さから、針が保持部５に刺さり固定保持されるまで調節できるものとする。
【００１１】上箱か下箱の一方に磁石あるいは電磁石を用いた画鋲を吸着する磁気面あるいは磁気群を設ける。これらを総称して磁気部と呼ぶことにする。
【００１２】ここで言う磁気面とは箱内の相当な領域を占める一面であり、磁気群とは画鋲を個別に吸着し容器内に配置する磁気の配列を言う。
【００１３】保持部５は磁気部に吸着した画鋲を収納容器で圧縮することにより保持部に移設し、固定保持するためのものである。従って素材は画鋲を直立した状態で固定保持し得るもので、かつ簡単に指で引き抜け
る固さの材質とする。
【００１４】次に使用方法を述べる。適当な数の画鋲を容器内に収め上箱と下箱をガイド合わせ口に沿って蓋をする。収納容器は画鋲が自在に転動できる空間つまり、高さ、幅、奥行きを有する。磁気部の箱側を下面にして左右に誘動し、画鋲の押圧部が磁力により磁気部に吸着するまで振る。吸着が終わると箱内で転動する音がしなくなるので判別することができる。吸着を確認し、上箱と下箱の高さを圧縮し狭める。すると磁気部と反対側の箱側、保持部に針先端部が圧入され移設される。
【００１５】この場合磁力が強すぎると保持部に移設できないので磁力は針が保持部材に固定される力より弱い程度が望ましい。
【００１６】保持部に移設した後、箱を転倒して蓋を外すと保持部側に直立し整列した画鋲群を得る。
【００１７】前述では磁気面を下面にし圧縮して後、箱を転倒したが圧縮以前に転倒し保持部を下面にし圧縮しても同様の結果を得る。
【００１８】
【実施例２】上述の実施例１での画鋲に加え、つまみ部あるいは押圧部が樹脂材で構成され針が鉄材あるいは鉄材及び非鉄材合金からなる画鋲収納容器の実施例を図２を参考にして述べる。
【００１９】収納容器１は上箱２と下箱３からなり分離しても良い。この容器は画鋲が自由に転動する高さ、幅、奥行きを有する。
【００２０】上箱か下箱の一方に画鋲のつまみ部、押圧部を直立させ得る窪み部分８と針先端を遊挿させ得る孔９から成る誘導ガイド部７を設ける。
【００２１】図３は誘導ガイド部の断面図である。窪み部分８は針を直立させて、つまみ部あるいは押圧部を落とし込む大きさと形状、傾斜、素材であり、その中央部には針が遊挿するのに十分な深さ外形寸法の孔９を設ける。
【００２２】その孔付近に磁石あるいは電磁石からなる磁気部４を配置する。これにより、孔内に遊挿した針先が磁力により吸引され保持される。以上の構成からなる画鋲収納容器である。
【００２３】使用方法は、適当な数の画鋲を容器内に収め上箱と下箱を合わせ蓋をする。収納容器は画鋲が自在に転動できる空間つまり、高さ、幅、奥行きを有する。誘導ガイド部を下面とし、左右に誘動し画鋲のつまみ部あるいは押圧部が窪み部分により直立し、孔内に針が遊挿してゆく。落とし込まれた針は磁気部に吸引され保持される。
【００２４】画鋲が吸引され保持を確認したら、収納容器を転倒して磁気で吸引した画鋲とそうでないものとを選別する。つまり吸引されている画鋲は保持され、そうでないものは落下する。またこの選別方法が可能な程の磁力を要する。そして吸引されていない画鋲が落下するよう誘導ガイド部と磁気部との空間を十分に設け磁力を調整する。
【００２５】蓋を外し収納容器を分離すると、誘導ガイド部を有する箱側に直立し整列した画鋲群を得る。
【００２６】尚実施例１，２において蓋を分離した後、針が保持部に固定保持されず磁気部に残った場合や、誘導ガイド部の孔内に針が遊挿されず保持されずに落下した場合、そのまま箱内に放置しておくと危険なため直立した画鋲群を得る箱側の下に重箱状に重ね合わせる機能を上、下箱に付加すると一層良い。
【００２７】また磁気部において装飾性を重視し、磁気面においては任意の文字、形状、模様、色彩の組み合わせ配列配置による型抜きをすることができる。磁気群においては任意の文字、形状、模様、色彩の組み合わせ配列配置も可能である。例えばピンクのハート型や黄色の星型と言った形状色彩である。
【００２８】収納容器について形状、色彩は任意である。材質も鉄を含む合金以外で任意だが樹脂材が望ましい。また上、下箱と分離しても良いと記述したが他の形態として実施例１については，上、下箱とスライドしかつ圧縮可能な機能を付加した形態をとることも可能である。この場合磁気部に吸着した画鋲を容器圧縮後、スライドして蓋を開け選別することができる。また実施例１、２において上、下箱と分離しても良いとしたが、箱相互間は連結した状態でも蓋を外せ、選別した後も画鋲を収納可能で、重箱状に重ね合わせる機能を有する限り分離していなくても良い。
【００２９】
【発明の効果】以上のように本発明は針の先端側を固定保持することにより、誤って針先に触れ怪我を未然に防ぐ効果を有する。
【００３０】収納容器を遊動する簡単な作業で画鋲を整列させ、選別も容易に行うことができる。
【００３１】整然と配列されるため画鋲の刺し込み作業も効率良く行うことができる。
【図面の簡単な説明】
【図１】本発明の実施例１の斜視図
【図２】本発明の実施例２の斜視図
【図３】本発明の実施例２の側面断面図
【図１】
2004203004.tif 000003
【図２】
2004203004.tif 000004
【図３】
2004203004.tif 000005